(57)【要約】【課題】始終時の作業性を向上させ、被覆材の絡み、破れ、摩耗等の危惧を解消する極めて経済的な線材と被覆材の支持具、支持具装着支柱、展張用材を提供する。【解決手段】上面を半球面１１状に肉盛り膨出させた合成樹脂製の基材１０の半球面１１の上側部から下側端部の位置に、球面の頂点１３の垂直下を通り、肉盛り部１２を横断する一つの貫通孔２を設けた支持具１の上側部の貫通孔２に線材３を挿通し、下部に設けた嵌合部１４に支柱４を装着させ、これらの天部にネット状の被覆材５を展張する。【選択図】図１
2011120590.tif 000002
【特許請求の範囲】
【請求項１】
頂部を略半球面状に肉盛り膨出させた少なくとも一つの突体を具備する合成樹脂製の基材であって、突体の球面部の上方縁部から下方側端部の位置に、球面の頂点の垂直下と基材の中心を通り、肉盛り部を横断する少なくとも一つの貫通孔又は／及び少なくとも一つの上方に開口する貫通溝を設けたことを特徴とする線材と被覆材の支持具。
【請求項２】
球面の頂点の垂直下で最上部の貫通孔の下方肉盛り部に、この貫通孔と所定の角度で交差し且つ上下互いに所定高さを有して、少なくとも一つの同様な貫通孔を上方から下方に順次設けたことを特徴とする請求項１記載の線材と被覆材の支持具。
【請求項３】
上方より少なくとも一つの貫通孔を球面で溝状に上部開口させ、その貫通溝を球面の頂点で跨いで、線材等その構内の部材がこの開口部からの脱落するのを防止する用片を、球面に沿わして肉盛り部に少なくとも溝の一方側で着脱自在になるよう陥没させて設けることを特徴とする請求項１又は２記載の線材と被覆材の支持具。
【請求項４】
偶数個の突体を、合成樹脂製の基材の上方で互いに向き合せ、且つ貫通孔を上下平行に設けたことを特徴とする請求項１、２又は３記載の線材と被覆材の支持具。
【請求項５】
合成樹脂製の基材の肉盛り部の下部に他材との嵌合部又は／及び係止具を基材に一体化させて設けたことを特徴とする請求項１、２、３又は４記載の線材と被覆材の支持具。
【請求項６】
請求項１、２、３、４又は５記載の線材及び被覆材の支持具を、少なくとも一方の端部に装着したことを特徴とする支持具装着支柱。
【請求項７】
請求項１、２、３、４又は５記載の線材及び被覆材の支持具又は請求項６記載の支持具装着支柱を、所定の各上部の貫通孔に線材を連通させて形成したことを特徴とする被覆材の展張用材。
【発明の詳細な説明】
【技術分野】
【０００１】
本発明は、支持具基材上部に設けた貫通孔に線材を通し、その上方でネット状やシート状等からなる被覆材を展張、摺動させた時に被覆材の絡み、破れ、摩耗等がなく、スムーズ且つ効率よくその作業を可能にする支持具と、これを装着した支柱と、支持具及び線材又は／及び支柱から構成した被覆材の展張用材に関するものである。
【背景技術】
【０００２】
農園芸、土木建築分野において、鳥、虫、猿、鹿、霜、雹、風等は作物に、農薬、塗料、粉塵等の飛散は人々に危害を加えることはよく知られており、これら危害を防止するための発明や考案は旧来より数多くなされ、防鳥網、防虫網、生育防護用シート、飛散防止用ネット等を組み合わせた農園芸用材、土木建築用材、これらに係る装置、設備、施工方法も多岐に亘り出願されている。
【０００３】
具体的には、農作物栽培においては、鳥、虫、猿、鹿、霜、雹、風等の危害を防止するため、多くの技術が提案、実用化され、また、建設分野においても、飛散や落下を防止するために同様の技術が用いられている（例えば、特許文献１〜７参照）。
【先行技術文献】
【特許文献】
【０００４】
【特許文献１】実公昭５９−５３０３号公報
【特許文献２】意匠登録５１２１４９号公報
【特許文献３】意匠登録９４１３２８号公報
【特許文献４】実用登録３０９１４１５号公報
【特許文献５】特開２００４−２３６５０３号公報
【特許文献６】特開２０１０−４８３０号公報
【特許文献７】特開２００８−５０８３８号公報
【発明の概要】
【発明が解決しようとする課題】
【０００５】
しかしながら、上記特許文献等に記載されている入る支柱のキャップ、栓等に係る技術は、共通して、施工の始終時において作業性で劣り、部材、部品点数等の工数が多くなるため、不経済である上に、特に、被覆材の有孔、無孔の形態を問わずその絡み、破れ、摩耗、破損、被覆材そのものの落下や飛散等が危惧され、問題を残すものとなっている。
【０００６】
本発明は、上記従来技術の有する問題点に鑑みてなしたものであり、始終時の作業性を向上させ、被覆材を展張、摺動させた時に被覆材の絡み、破れ、摩耗等がなく、スムーズ且つ効率よくその作業を可能にする支持具と、これを装着した支柱と、ネット（以下、有孔シート）やシート（以下、無孔シート）等からなる被覆材を展張、摺動させた時に被覆材の絡み、破れ、摩耗等がなく、スムーズ且つ効率よくその作業を可能にする支持具と、これを装着した支柱と、支持具及び線材又は／及び支柱から構成した被覆材の展張用材を提供することを目的とする。
【課題を解決するための手段】
【０００７】
上記目的を達成するため、本発明の線材と被覆材の支持具は、頂部を略半球面状に肉盛り膨出させた少なくとも一つの突体を具備する合成樹脂製の基材であって、突体の球面部の上方縁部から下方側端部の位置に、球面の頂点の垂直下と基材の中心を通り、肉盛り部を横断する少なくとも一つの貫通孔又は／及び少なくとも一つの上方に開口する貫通溝を設けたことを特徴とする。
【０００８】
この場合、球面の頂点の垂直下で最上部の貫通孔の下方肉盛り部に、この貫通孔と所定の角度で交差し且つ上下互いに所定高さを有して、少なくとも一つの同様な貫通孔を上方から下方に順次設けることができる。
【０００９】
また、上方より少なくとも一つの貫通孔を球面で溝状に上部開口させ、その貫通溝を球面の頂点で跨いで、線材等その構内の部材がこの開口部からの脱落するのを防止する用片を、球面に沿わして肉盛り部に少なくとも溝の一方側で着脱自在になるよう陥没させて設けることもできる。
【００１０】
さらに、偶数個の突体を、合成樹脂製の基材の上方で互いに向き合せ、且つ貫通孔を上下平行に設けることもできる。
【００１１】
そして、合成樹脂製の基材の肉盛り部の下部に他材との嵌合部又は／及び係止具を基材に一体化させて設けたこともできる。
【００１２】
また、上記目的を達成するための本発明の支柱は、偶数個の突体を、合成樹脂製の基材の上方で互いに向き合せ、且つ貫通孔を上下平行に設けたことを特徴とする。
【００１３】
そして、上記目的を達成するための本発明の展張用材は、上記線材及び被覆材の支持具又は／及び支持具装着支柱を、所定の各上部の貫通孔に線材を連通させて形成したことを特徴とする。
【発明の効果】
【００１４】
本発明の線材と被覆材の支持具は、頂部を略半球面状に肉盛り膨出させた少なくとも一つの突体を具備する合成樹脂製の基材であって、突体の球面部の上方縁部から下方側端部の位置に、球面の頂点の垂直下と基材の中心を通り、肉盛り部を横断する少なくとも一つの貫通孔又は／及び少なくとも一つの上方に開口する貫通溝を設けたことで、貫通孔又は／及び横断孔が内壁を有し鉄線、紐等の線材が挿通し易くなり、略中心が重心となり使用後のバランス性が向上し、肉盛り部では基材はより強化され、被覆材の絡み、破れ、摩耗等の危惧が解消される。
【００１５】
この場合、球面の頂点の垂直下で最上部の貫通孔の下方肉盛り部に、この貫通孔と所定の角度で交差し且つ上下互いに所定高さを有して、少なくとも一つの同様な貫通孔を上方から下方に順次設けることで、多数の線材等が使用でき、それらの外径と貫通孔、貫通溝の内径との最適な設計が可能になる。
【００１６】
また、上方より少なくとも一つの貫通孔を球面で溝状に上部開口させ、その貫通溝を球面の頂点で跨いで、線材等その構内の部材がこの開口部からの脱落するのを防止する用片を、球面に沿わして肉盛り部に少なくとも溝の一方側で着脱自在になるよう陥没させて設けることで、上部開口の貫通溝に線材等を嵌め込むことができ、線材等は脱落を防止する防止片で溝開口部から脱落せず、作業性は著しく向上する。
【００１７】
さらに、互いに独立した偶数個のそれぞれ半球面に互いに向き合う貫通孔を有する突体を、基材上面に設けることで、貫通孔とその交差部の数を増やすことができ且つ複数本の線材を平面状に配設することができ、態様幅や用途がより広がり、また、適宜、最良設計が可能になる。
【００１８】
そして、合成樹脂製の基材の肉盛り部の下部に他材との嵌合部又は／及び係止具を基材に一体化させて偶数個の突体を、合成樹脂製の基材の上方で互いに向き合せ、且つ貫通孔を上下平行に設けたことで合成樹脂製の基材の肉盛り部の下部に他材との嵌合部又は／及び係止具を基材に一体化させて設けたこともできることで、本発明の支持具の使用分野、具体的な使用方法等が著しく拡大されることになる。
【００１９】
本発明の支柱は、合成樹脂製の基材の肉盛り部の下部に他材との嵌合部又は／及び係止具を基材に一体化させて上記線材及び被覆材の支持具を、少なくとも一方の端部に装着したことで、この支柱の用途は広がり、その利便性は著しく向上する。
【００２０】
本発明の展張用材は、上記線材及び被覆材の支持具又は／及び支持具装着支柱を、所定の各上部の貫通孔に線材を連通させて形成したことで、設置、撤去等で繰り返し使用することか可能になり、且つ、各部材同士の組み立てや設置、撤去においての作業性は著しく向上し、線材と被覆材の支持具、支柱、被覆材からなる構成材の使用価値、利便性、汎用性等が著しく高まることになる。
【図面の簡単な説明】
【００２１】
【図１】本発明の線材と被覆材の支持具を示し、（ａ）は正面図、（ｂ）は断面図、（ｃ）は使用状態を示す斜視図である。
【図２】同被覆材の支持具を示し、（ａ）は正面図、（ｂ）は側面図、（ｃ）は平面図、（ｄ）は底面図、（ｅ）及び（ｆ）は断面図、（ｇ）は使用状態を示す斜視図である。
【図３】同被覆材の支持具を示し、（ａ）は正面図、（ｂ）は断面図、（ｃ）は平面図、（ｄ）は脱落防止用片の底面図、（ｅ）は正面図である。
【図４】同線材と被覆材の支持具を示し、（ａ）は正面図、（ｂ）は平面図である。
【図５−１】同線材と被覆材の支持具を示し、（ａ）は正面図、（ｂ）及び（ｃ）は断面図である。
【図５−２】同線材と被覆材の支持具を示し、（ｄ）は平面図、（ｅ）は断面図、（ｆ）は使用状態を示す正面図である。
【図５−３】同線材と被覆材の支持具を示し、（ｇ）は使用状態を示す斜視図である。
【図６】本発明の支持具装着支柱を示す断面図である。
【図７】本発明の展張用材を示し、（ａ）は平面図、（ｂ）は正面図、（ｃ）は使用状態を示す平面図である。
【図８】本発明の線材と被覆材の支持具を使用した構築物を示し、（ａ）は斜視図、（ｂ）は正面図である。
【図９】同線材と被覆材の支持具を使用した構築物の正面図である。
【図１０】同線材と被覆材の支持具を使用した構築物の側面図である。
【図１１】本発明の線材と被覆材の支持具を使用した構造を示す正面図である。
【図１２】本発明の線材と被覆材の支持具を使用した構造を示す正面図である。
【発明を実施するための形態】
【００２２】
以下、本発明の線材３と被覆材５の支持具１、支持具装着支柱４０、展張用材５０の実施形態を図面に基づいて説明する。
【実施例１】
【００２３】
図１（ａ）、（ｂ）、（ｃ）に、本発明の線材３と被覆材５の支持具１の第１実施例を示す。
図１（ａ）、（ｂ）で示す本発明の線材３と被覆材５の支持具１は、上面を半球面１１状に肉盛り膨出させた合成樹脂製の基材１０の半球面１１の上側部から下側端部の位置に、球面の頂点１３の垂直下を通り、肉盛り部１２を横断する一つの貫通孔２を設けたものであり、（ｃ）はこの支持具１上側部の貫通孔２に線材３を挿通し、下部に設けた嵌合部１４に支柱４を装着させ、これらの天部にネット状の被覆材５を展張したものであり、それぞれ（ａ）は正面図、（ｂ）は断面図、（ｃ）は使用形態を示す斜視図である。
この場合、図示しないが、一つの貫通孔２に可能な限りの線材３を挿通することができ、また、線材３は、樹脂被覆鉄線、樹脂製の単糸や撚り糸、紐等特に限定されるものではない。
【００２４】
このような本発明の線材３と被覆材５の支持具１は、貫通孔２が内壁を有すことになり、その中に線材３を挿通させる作業が非常に楽になり、同時に、半球面１１の上部及び側部で被覆材５の絡み、破損、摩耗等のトラブルを完全に回避させることが可能になると共に、頂点１３の垂直下の軸線に沿って支持具１の軸及び周方向の中心が現出され、使用時の安定性は著しく向上することになる。
【実施例２】
【００２５】
図２（ａ）、（ｂ）、（ｃ）、（ｄ）、（ｅ）（ｆ）に、本発明の線材３と被覆材５の支持具１の第２実施例を示す。
図２で示す本発明の線材３と被覆材５の支持具１は、球面の頂点１３の垂直下で最上部の貫通孔２の下方肉盛り部に、この貫通孔２と９０度で交差し、垂直下で上下互いに段差を有して隣接する同様なもう三つの貫通孔２０を設けたものであり、それぞれ（ａ）は正面図、（ｂ）は側面図、（ｃ）は平面図、（ｄ）は底面図、（ｅ）及び（ｆ）は断面図である。
この場合、所定の角度でさらに複数個の貫通孔２下方に連続させてもよく、また、貫通孔２同士を隣接させる必要もなく、互いに所定の距離を置いて設けてもよく、（ｇ）は貫通孔２、２０、２１、２２を順次設けた一例を示す斜視図である。
【００２６】
このような本発明の線材３と被覆材５の支持具１は、互いに十字に交差させれば、二つの貫通孔２、２０と２１、２２同士それぞれに線材３を挿通させることでバランスが保たれ、支持具１を装着した支持具装着支柱４０の倒伏は上記実施例１に比較してさらに防止されることになる。
【実施例３】
【００２７】
図３（ａ）、（ｂ）、（ｃ）に、本発明の線材３と被覆材５の支持具１の第３実施例を示す。
図３で示す本発明の線材３と被覆材５の支持具１は、上方より二つの貫通孔２、２０を半球面１１で溝状に上部開口させ、その貫通溝２４、２５を球面の頂点１３で跨いで線材３等溝内部物がその開口部１５から出脱するのを防ぐ脱落防止用片１６を、半球面１１に沿わして肉盛り部１２に少なくとも溝の一方側で着脱自在になるよう陥没させて設けたものであり、それぞれ（ａ）は正面図、（ｂ）は平面図、（ｃ）は断面図である。
この場合においても、図示省略するが、貫通孔２や開口部１５を有する貫通溝２４、２５の数やその交差角度は限定されるものではない。
また、図３（ｄ）、（ｅ）は、着脱自在可能な脱落防止用片１６の一形状を示す正面図と底面図であり、脱落防止用片１６にも合成樹脂が好適に使用できることになる。
【００２８】
このような支持具１は、脱落防止用片１６を具備していても、実施例１、２と同様にその上部及び側部に於いて有孔、無孔を問わず、被覆材５を傷つけることはなく、絡ませることもない。
また、このような支持具１は、線材３を開口部１５に嵌入し、その後、脱落防止用片１６を装着させることで、作業性は向上し、脱落防止用片１６が邪魔することで、線材３の開口部１５からの脱落が皆無となる。
さらに、貫通孔２や開口部１５を有する貫通溝２４、２５の断面積や断面形状は使用する線材３を考慮し決定されるものであり、貫通孔２や開口部１５を有する貫通溝２４、２５にそれぞれ複数本の線材３を挿通し、内偶数本の線材３で被覆材５を支持させ、他の複数本の線材３で、例えば、果樹棚で棚面の吊り線等として使用することができる。
【実施例４】
【００２９】
図４（ａ）、（ｂ）に、本発明の線材３と被覆材５の支持具１の第４実施例を示す。
図４で示す本発明の線材３と被覆材５の支持具１は、基材１０上面に、それぞれ半球面１１を有しに互いに向き合う貫通孔２を有する二つの突体１９を設けたもので、（ａ）は正面図、（ｂ）は平面図である。
【００３０】
図４では向かい合う二つの突体１９間に一本の線材３を置き、これに略直角に交差し、この線材３を押さえるように突体１９の互いに向き合う貫通孔２一本の線材３を挿通しているが、突体１９の数は四つ、六つ等偶数個なら限定されず、また、突体１９間の間隙の大きさやこの間隙に置く線材３の本数も特に限定されものでなく、また、線材３に限らず支柱４等も置くことができるが、適宜、目的とする用途に合致する最良の設計に委ねられることになる。
この場合、突体１９はあくまで基材１０の一部であり、且つ、突体１９間の間隙は前記の貫通溝２４、２５と同様な性能を呈するものであり、突体１９の頂部は膨出させた曲面を形成しているのである。
【実施例５】
【００３１】
図５−１（ａ）、（ｂ）、（ｃ）、図５−２（ｄ）、（ｅ）、（ｆ）、図５−３（ｇ）に、本発明の本発明の線材３と被覆材５の支持具１の第５実施例を示す。
図５−１で示す本発明の線材３と被覆材５の支持具１は、基材１０を合成樹脂で形成し、基材１０の下部に被係止物１８との係止具１７、この場合は鋼製ボルトを埋設したもので、それぞれ（ａ）は正面図、（ｂ）は断面図、（ｃ）はこの支持具１を被係止物１８、この場合は鋼製キャップに螺設した使用例の断面図であり、この場合、螺着脱し易いように、基材１０下部をナット状に形成してもよく、又は／及び、支柱４や鋼製キャップの内面腐食を防止するために、線材３と被覆材５の支持具１と鋼製キャップとの間に水密パッキン４１を挟持させてもよい。
このような被係止物１８と一体化された態様も、本発明の線材３と被覆材５の支持具１となる。
また、図５−２（ｄ）、（ｅ）、（ｆ）は基材１０上部を楕円形に形成したそれぞれ平面図、断面図、傾斜させて使用する正面図を示し、図５−３（ｇ）は基材１０上部を真円に全体を茸状に形成した斜視図を示している。
【００３２】
このような本発明の線材３と被覆材５の支持具１の構成において、貫通孔２は球面の頂点１３の垂直下、基材１０の球面の下部又は下端部の肉盛り部１２を突き抜ける内周壁２３を有するトンネルを意味し、また、基材１０の球形部も貫通孔２の断面形状も真円に限定されることはない。
線材３と被覆材５の支持具１をこのように構成することにより、貫通孔２が内周壁２３を有し線材３が挿通し易くなり、略中心が重心となり使用後のバランス性が向上し、肉盛り部１２で基材１０はより強化され、ネット、フィルム等の被覆材５の絡み、破れ、摩耗等の危惧が全て解消されることになる。
【００３３】
本発明の線材３と被覆材５の支持具１の基材１０を形成する剤材は、金属材、天然材、合成樹脂材等その主剤は特に限定されるものではないが、少なくとも貫通孔２より上部には、屋外炎天下で著しく温度が上昇し、合成樹脂製のネット、フィルム等の被覆材５を劣化させる金属類より、耐熱、耐候性能を付与した合成樹脂類、中でも、熱可塑性樹脂であるビニル系の塩化ビニルや酢酸ビニル、オレフィン系のポリエチレン、ポリプロピレン等、アイオノマー、エラストマーこれらの合成樹脂の混合体、これらの合成樹脂とエチレン−酢酸ビニル等の共重合体等の汎用性の高い熱可塑性樹脂が好適に使用でき、特に無公害と経済性の面から汎用性の高いポリエチレン等のオレフィン系樹脂が、また、強度を必要とする場合はＦＲＰ等の強化樹脂が最適に使用できることになる。
【００３４】
この場合、支持具１の基材１０には商品設計に応じて多種多様の補助剤や充填材を添加することが可能になり、また、肉盛り部１２の下部の嵌合部や係止具を形成する材質は使用時の外圧で分離しない限り、同質、異質どちらでもよいことになり、さらに、支柱等他材との長期的な接合が可能な限りその形態は問われるものではない。
このような本発明の最適な態様は、被覆材の熱や光による劣化を激減させると共に、使用時の作業効率も大幅に向上させることになる。
【実施例６】
【００３５】
図６に、本発明の支持具１を装着した支持具装着支柱４０の実施例６として示す。
この支持具装着支柱４０は、支持具１を構成する基材１０の下部に嵌合部１４、この場合は栓体一体化して設け、これを一般的な支柱４に装着したもので、図はこの支持具１を装着した支柱の断面図を示している。
また、実施例６においては一つの態様を示したが、支持具１を装着した支持具装着支柱４０は上記実施例１〜５で示した形態の支持具１を適宜支柱４の一端又は両端に装着してもよい。
そして、このような支持具装着支柱４０は上下左右に於いて３６０度の使用が可能になる。
【実施例７】
【００３６】
図７（ａ）、（ｂ）、（ｃ）に、本発明の被覆材の展張用材５０を第７実施例として示す。
この被覆材の展張用材５０は、複数の線材３等を互いに通した支持具１であっても、支持具１を端部に装着した複数の線材３等を互いに通した複数の支持具装着支柱４０であってもよく、それぞれ（ａ）は平面図、（ｂ）は側面図、（ｃ）はその使用時の平面図を示している。
このような展張用材５０は、その設置時、使用時、撤去保管時に於いて、その作業を大きく簡便化させることになる。
【実施例８】
【００３７】
図８〜図１０に、本発明の第９実施例を示す。
この第８実施例は本発明を使用した構築物６、この場合は果樹棚の防鳥、防雹、防虫を示すもので、（ａ）は斜視図、（ｂ）は正面図である。
また、図９〜図１０はゴルフ練習場の場外へのボールや木材チップの飛散防護柵の一例を示し、図９は正面部分拡大図、図１０は側面部分拡大図である。
このような構築物６は被覆材５の絡みや破損がなく、また、構築物６は被覆材５、この場合はゴルフネットを直角に交差する線材３で挟持しているため、被覆材５の強風による破損や剥離がない。
【実施例９】
【００３８】
図１１及び図１２に、本発明の第９実施例を示す。
この第９実施例は本発明を使用した配設構造７、この場合は一部被覆栽培の構造を示すもので、本発明の支持具１を両端に嵌合させた円弧状の支持具装着支柱４０の中心部が天井部に位置するように支持具装着支柱４０で支え、両端軒先部の貫通孔２に線材３をそれぞれ配設し、その線材３に被覆材５、この場合は、無孔フィルムを一定距離で止着したもので、図１１はこの配設構造７の畝方向の正面図、図１２はこれとは形態の異なる一部被覆の正面図であり、このような配設構造７は、無孔フィルムの破損を無限大に近く防止することになる。
【００３９】
以上、本発明の本発明の線材３と被覆材５の支持具１、支持具装着支柱４０、展張用材５０について、複数の実施例に基づいて説明したが、本発明は、上記実施例に記載した構成に限定されるものではなく、その趣旨を逸脱しない範囲において適宜その構成を変更することができるものである。
【産業上の利用可能性】
【００４０】
本発明の本発明の線材３と被覆材５の支持具１、支持具装着支柱４０、展張用材５０は、農作物栽培においては、鳥、虫、猿、鹿、霜、雹、風等の危害を、農薬の飛散を防止するために、また、その構築物６や配設構造７は土木建築用途においては、粉塵、塗装溶剤等の飛散による危害を防止するために、さらに、氷雪による危害を防止するために、屋根面と網体との空間が不可欠な融氷雪方法、装置等、多種多様な用途への転用が可能になる。
【符号の説明】
【００４１】
１    支持具
１０  基材
１１  半球面
１２  肉盛り部
１３  球面の頂点
１４  嵌合部
１５  開口部
１６  脱落防止用片
１７  係止具
１８  被係止物
１９  突体
２    貫通孔
２０  貫通孔
２１  貫通孔
２２  貫通孔
２３  内周壁
２４  貫通溝
２５  貫通溝
３    線材
４    支柱
４０  支持具装着支柱
４１  水密パッキン
５    被覆材
５０  被覆材の展張用材
６    構築物
７    配設構造
【図１】
2011120590.tif 000003
【図２】
2011120590.tif 000004
【図３】
2011120590.tif 000005
【図４】
2011120590.tif 000006
【図５−１】
2011120590.tif 000007
【図５−２】
2011120590.tif 000008
【図５−３】
2011120590.tif 000009
【図６】
2011120590.tif 000010
【図７】
2011120590.tif 000011
【図８】
2011120590.tif 000012
【図９】
2011120590.tif 000013
【図１０】
2011120590.tif 000014
【図１１】
2011120590.tif 000015
【図１２】
2011120590.tif 000016